(57)【要約】【課題】本発明は、来訪者の応対を終えた後にＴＶ放送の視聴を続きから再開可能な表示制御装置および表示システムの提供を目的とする。【解決手段】表示制御装置１００は、テレビジョン信号受信部ＢＬ１と、インターフォン３０のカメラ３１およびマイクロフォン３２が生成する映像音声信号を受信する通信部ＢＬ２と、映像音声信号を出力する映像音声信号出力部ＢＬ３と、映像音声信号を記録する記憶部ＢＬ４と、記憶部ＢＬ４に記録されている映像音声信号の再生を行う再生部ＢＬ５と、制御部ＢＬ６と、通信部ＢＬ２が受信する信号に基づいて来訪者の有無を判定する来訪者有無判定部ＢＬ７と、を備え、映像音声信号出力部ＢＬ３がテレビジョン放送の映像音声信号を出力している時に、来訪者有無判定部ＢＬ７が来訪者有りと判定した場合、制御部ＢＬ６は、記憶部ＢＬ４へのテレビジョン放送の映像音声信号の記録を開始する。【選択図】図１
2017098682.tif 000002
【特許請求の範囲】
【請求項１】
カメラおよびマイクロフォンを備えたインターフォンと、相互に通信を行う表示制御装置であって、
前記表示制御装置は、
テレビジョン放送の映像音声信号を受信するテレビジョン信号受信部と、
前記インターフォンの前記カメラおよび前記マイクロフォンが生成する映像音声信号を受信する通信部と、
前記テレビジョン信号受信部で受信した映像音声信号および前記通信部で受信した前記インターフォンからの映像音声信号を出力する映像音声信号出力部と、
前記テレビジョン信号受信部が受信した映像音声信号および前記通信部が受信した前記インターフォンからの映像音声信号を記録する記憶部と、
前記記憶部に記録されている映像音声信号の再生を行い、前記映像音声信号出力部に出力する再生部と、
前記テレビジョン信号受信部、前記通信部、前記映像音声信号出力部、前記記憶部および前記再生部を制御する制御部と、
前記通信部が受信する信号に基づいて来訪者の有無を判定する来訪者有無判定部と、
を備え、
前記映像音声信号出力部が前記テレビジョン放送の映像音声信号を出力している時に、前記来訪者有無判定部が前記来訪者有りと判定した場合、前記制御部は、前記記憶部への前記テレビジョン放送の映像音声信号の記録を開始する、
表示制御装置。
【請求項２】
前記表示制御装置は、
マイクロフォンと、
前記来訪者への応対を開始する応対開始ボタンと、
前記来訪者への応対を終了する応対終了ボタンと、
をさらに備え、
前記来訪者有無判定部が前記来訪者有りと判定した場合において、前記応対開始ボタンが押されると、前記制御部は、前記映像音声信号出力部に前記通信部で受信した前記インターフォンからの映像音声信号を出力させるとともに、前記表示制御装置の前記マイクロフォンの音声信号を、前記通信部を介して前記インターフォンに送信し、
前記制御部は、応対中に前記応対終了ボタンが押されるか、又は前記来訪者有無判定部の判定が来訪者有りから無しに変わると、前記映像音声信号出力部への前記通信部で受信した前記インターフォンからの映像音声信号の出力を停止するとともに、前記制御部は、前記表示制御装置の前記マイクロフォンの音声信号の前記インターフォンへの送信を停止する、
請求項１に記載の表示制御装置。
【請求項３】
前記制御部は、前記応対終了ボタンが押されるか、又は前記来訪者有無判定部の判定が来訪者有りから無しに変わると、前記再生部に、前記記憶部に記録されている前記テレビジョン放送の映像音声信号の再生を開始させ、当該映像音声信号の再生開始位置は、前記応対開始ボタンが押された時刻からの位置又はそれ以前の時刻からの位置である、
請求項２に記載の表示制御装置。
【請求項４】
前記制御部は、前記応対終了ボタンが押されるか、又は前記来訪者有無判定部の判定が来訪者有りから無しに変わると、前記再生部に、前記記憶部に記録されている前記テレビジョン放送の映像音声信号の再生を開始させ、当該映像音声信号の再生開始位置は、前記応対開始ボタンが押された時刻からの位置又はそれ以前の時刻からの位置であり、当該再生はコマーシャルメッセージを除いた再生であるか、１倍速よりも早い速度での再生である、
請求項３に記載の表示制御装置。
【請求項５】
前記インターフォンは、人感センサをさらに備え、前記来訪者有無判定部は前記人感センサからの信号に基づいて前記来訪者の有無を判定するか、
前記来訪者有無判定部は、通信部が受信した前記インターフォンからの映像音声信号の映像解析に基づいて前記来訪者の有無を判定するか、
前記インターフォンは、呼び出しボタンをさらに備え、前記来訪者有無判定部は前記呼び出しボタンの押下に基づいて前記来訪者の有無を判定するか、
前記通信部の前記インターフォンの前記カメラからの映像信号の受信の有無に基づいて、前記来訪者有無判定部は前記来訪者の有無を判定するか、のいずれかである、
請求項１から請求項４のいずれか一項に記載の表示制御装置。
【請求項６】
前記表示制御装置は、リモートコントローラをさらに備え、
前記マイクロフォン、前記応対開始ボタンおよび前記応対終了ボタンは前記リモートコントローラに設けられる、
請求項２から請求項４のいずれか一項に記載の表示制御装置。
【請求項７】
前記映像音声信号出力部が前記テレビジョン放送の映像音声信号を出力している時に、前記来訪者有無判定部が来訪者有りと判定した場合、前記制御部は、前記テレビジョン放送の映像音声信号の映像の一部分に前記通信部で受信した前記インターフォンからの映像音声信号の映像をオーバーレイさせて、前記映像音声信号出力部に出力する、
請求項１から請求項６のいずれか一項に記載の表示制御装置。
【請求項８】
請求項１から請求項７のいずれか一項に記載の表示制御装置と、
前記映像音声信号出力部から出力される映像信号を表示する表示装置と、
前記映像音声信号出力部から出力される音声信号を出力するスピーカと、
を備える、
表示システム。
【発明の詳細な説明】
【技術分野】
【０００１】
本発明は表示制御装置および表示システムに関し、特にインターフォンと相互に通信を行う表示制御装置および表示システムに関する。
【背景技術】
【０００２】
従来から、カメラ付きインターフォンと通信を行って、インターフォンのカメラが撮像した来訪者の映像をテレビジョン（以下ＴＶとも記載する）等の表示装置に表示する技術が知られている。
【０００３】
特許文献１には、外出中の家人が帰宅後に、留守中の来訪者をＴＶで確認できる技術が記載されている。特許文献１によれば、インターフォンのボタンが来訪者によって押されると、ＴＶの電源がオンとなり、インターフォンのカメラから送信されてくる映像信号をＴＶの映像信号処理部で順次デジタル信号化し、メモリ接続端子を介してＵＳＢメモリに順次記憶する。
【０００４】
また、特許文献２には、電話機およびファックスの着信、玄関等での来訪者、お風呂の水位および温度、火災、ガス漏れ等の外部情報を取得して、テレビ映像、ビデオ、ＬＤ（Ｌａｓｅｒ  Ｄｉｓｋ）等の映像信号に割り込ませて表示させるＴＶがされている。
【０００５】
また、特許文献３には、ＴＶでＴＶ放送を視聴しているときに、インターフォンのボタンが来訪者によって押されると、表示画面の一部にインターフォンのカメラの映像を表示し、来訪者の姿とＴＶ放送の両方を同時に見ることができる技術が記載されている。
【先行技術文献】
【特許文献】
【０００６】
【特許文献１】特開２００９−３０２８０１号公報
【特許文献２】特開平７−１５６８２号公報
【特許文献３】特開２００１−２１８１９６号公報
【発明の概要】
【発明が解決しようとする課題】
【０００７】
上述した特許文献１においては、留守中の来訪者の映像を録画し、帰宅後に保存した映像を簡単な操作で確認することができる。しかし、留守中の来訪者限定であり、ＴＶ視聴中には来訪者に対応できない。
【０００８】
また、上記特許文献２のＴＶは、ＴＶ視聴中に来訪者があった場合、ＴＶの画面上で来訪者を確認することができるが、その場で対応できないとの問題がある。
【０００９】
また、上記特許文献３のインターフォンは、ＴＶ放送の視聴中に来訪者があった場合、インターフォンのカメラが撮像した映像をＴＶの表示画面上で確認することができるが、来訪者の対応を終えた後に、続きからＴＶ放送の視聴を再開できなかった。
【００１０】
本発明は以上のような課題を解決するためになされたものであり、ＴＶ放送の視聴中に来訪者の応対を行ってＴＶ放送の視聴が中断した場合、来訪者の応対を終えた後に続きからＴＶ放送の視聴を再開可能な表示制御装置および表示システムの提供を目的とする。
【課題を解決するための手段】
【００１１】
本発明に係る表示制御装置は、カメラおよびマイクロフォンを備えたインターフォンと、相互に通信を行う表示制御装置であって、表示制御装置は、テレビジョン放送の映像音声信号を受信するテレビジョン信号受信部と、インターフォンのカメラおよびマイクロフォンが生成する映像音声信号を受信する通信部と、テレビジョン信号受信部で受信した映像音声信号および前記通信部で受信した前記インターフォンからの映像音声信号を出力する映像音声信号出力部と、テレビジョン信号受信部が受信した映像音声信号および通信部が受信したインターフォンからの映像音声信号を記録する記憶部と、記憶部に記録されている映像音声信号の再生を行い、映像音声信号出力部に出力する再生部と、テレビジョン信号受信部、通信部、映像音声信号出力部、記憶部および再生部を制御する制御部と、通信部が受信する信号に基づいて来訪者の有無を判定する来訪者有無判定部と、を備え、映像音声信号出力部がテレビジョン放送の映像音声信号を出力している時に、来訪者有無判定部が来訪者有りと判定した場合、制御部は、記憶部へのテレビジョン放送の映像音声信号の記録を開始する。
【発明の効果】
【００１２】
本発明に係る表示制御装置によれば、使用者がＴＶ放送を視聴中に来訪者有無判定部が来訪者有りと判定した場合、ＴＶ放送の録画を開始する。従って、使用者は来訪者の応対を終えた後に、ＴＶ放送を続きから視聴することが可能となる。これにより使用者の利便性が向上する。
【図面の簡単な説明】
【００１３】
【図１】本発明の実施形態に係る表示制御装置の主要なブロック図である。
【図２】本発明の実施形態に係る表示制御装置の詳細なブロック図である。
【図３】本発明の実施形態に係る表示制御装置のハードウェア構成を示す図である。
【図４】本発明の実施形態に係る表示システムにおける表示装置の表示例を示す図である。
【図５】本発明の実施形態に係る表示制御装置のリモコンの構成を示す図である。
【図６】本発明の実施形態に係る表示制御装置の来訪者応対時の動作を示すフローチャートである。
【図７】本発明の実施形態に係る表示制御装置の来訪者非応対時の動作を示すフローチャートである。
【発明を実施するための形態】
【００１４】
＜構成＞
図１は、本発明の実施形態における表示制御装置１００の主要な機能を示すブロック図である。表示制御装置１００は、インターフォン３０（後述する図２を参照）と、相互に通信を行う表示制御装置１００である。
【００１５】
表示制御装置１００は、テレビジョン信号受信部ＢＬ１（以下、ＴＶ信号受信部ＢＬ１と記載）、通信部ＢＬ２、映像音声信号出力部ＢＬ３、記憶部ＢＬ４、再生部ＢＬ５、制御部ＢＬ６および来訪者有無判定部ＢＬ７を備える。ＴＶ信号受信部ＢＬ１は、ＴＶ放送の映像音声信号を受信する。通信部ＢＬ２は、インターフォン３０のカメラおよびマイクロフォンが生成する映像音声信号を受信する。映像音声信号出力部ＢＬ３は、ＴＶ信号受信部ＢＬ１で受信した映像音声信号および通信部ＢＬ２で受信した映像音声信号を出力する。
【００１６】
記憶部ＢＬ４は、通信部ＢＬ２が受信した映像音声信号およびＴＶ信号受信部ＢＬ１が受信した映像音声信号を記録する。再生部ＢＬ５は、記憶部ＢＬ４に記録されている映像音声信号の再生を行い、映像音声信号出力部ＢＬ３に出力する。制御部ＢＬ６は、ＴＶ信号受信部ＢＬ１、通信部ＢＬ２、映像音声信号出力部ＢＬ３、記憶部ＢＬ４および再生部ＢＬ５を制御する。来訪者有無判定部ＢＬ７は、通信部ＢＬ２が受信する信号に基づいて来訪者を検知する。
【００１７】
表示制御装置１００において、映像音声信号出力部ＢＬ３がＴＶ放送の映像音声信号を出力している時に、来訪者有無判定部ＢＬ７が来訪者を検知した場合、制御部ＢＬ６は、記憶部ＢＬ４へのＴＶ放送の映像音声信号の記録を開始する。それとともに、制御部ＢＬ６は、映像音声信号出力部ＢＬ３に通信部ＢＬ２が受信した映像音声信号のうち少なくとも映像信号を出力させる。
【００１８】
図２は、表示制御装置１００の詳細な機能を示すブロック図である。また、図３は、表示制御装置１００のハードウェア構成を示す図である。
【００１９】
図２に示すように、本実施形態における表示システムは、表示制御装置１００、表示装置１０およびスピーカ１１を備える。表示制御装置１００は、テレビジョン信号受信部１（以下、ＴＶ信号受信部１と記載）、通信部２、映像音声信号出力部３、記憶部４、制御部６、来訪者有無判定部７およびリモートコントローラ受信部８（リモコン受信部８とも記載する）を備える。制御部６は、システム制御部６１および映像制御部６２を備える。
【００２０】
図１におけるＴＶ信号受信部ＢＬ１、通信部ＢＬ２、映像音声信号出力部ＢＬ３、記憶部ＢＬ４、来訪者有無判定部ＢＬ７は、図２におけるＴＶ信号受信部１、通信部２、映像音声信号出力部３、記憶部４、来訪者有無判定部７にそれぞれ相当する。図１における再生部ＢＬ５は、図２における映像制御部６２に相当する。図１における制御部ＢＬ６は、図２におけるシステム制御部６１に相当する。
【００２１】
表示制御装置１００が、ＴＶ放送として、地上デジタル放送を受信して表示装置１０に表示させる場合を例に、ＴＶ信号受信部１、映像制御部６２、映像音声信号出力部３の動作を説明する。
【００２２】
ＴＶ信号受信部１は、外部のアンテナ９からＴＶ放送信号を受信して、ＭＰＥＧ−２トランスポートストリームに復号して映像制御部６２に送信する。映像制御部６２は、復号された映像信号を、符号化圧縮された映像ストリームと音声ストリームに分離して取り出すためのデマルチプレクサを行う。映像ストリームはＭＰＥＧ−２などで符号化されている。音声ストリームはＡＣ−３などで符号化されている。映像制御部６２はさらに、分離した映像ストリームをデコード処理して映像信号に復号する。また、映像制御部６２は、分離した音声ストリームをデコード処理して音声信号に復号する。映像音声信号出力部３は、復号された映像信号を表示装置１０に出力する。映像音声信号出力部３は、復号された音声信号をスピーカ１１に出力する。図４（ａ）は、表示装置１０の表示画面１０ａの模式図である。ＴＶ放送視聴時、表示装置１０の表示画面１０ａ全体にＴＶ放送の映像信号が表示される。なお、表示装置１０は、例えば液晶ディスプレイである。
【００２３】
また、表示制御装置１００において、ＴＶ放送信号を記憶部４に記憶する（即ちＴＶ放送番組を記憶部４に録画する）ことも可能である。この場合、映像制御部６２は、トランスポートストリームを記憶部４に記憶させる。記憶部４に録画した放送番組を再生する場合、映像制御部６２はトランスポートストリームを映像ストリームと音声ストリームに分離して、各ストリームの複合を行う。
【００２４】
以上では、地上デジタル放送を例にして動作を説明したが、ＴＶ放送信号の形式は地上デジタル放送に限定されない。
【００２５】
図５はリモートコントローラ２０（リモコン２０とも記載する）の構成を示す模式図である。表示制御装置１００のリモコン受信部８は、リモコン２０からの信号を受信する。図５に示すように、リモコン２０は、本来機能用ボタン２４、応対開始ボタン２１、応対終了ボタン２２、マイクロフォン２３を備える。本来機能用ボタン２４とは、ＴＶ放送のチャンネルを選択するためのボタン、ＴＶ放送の録画を行うためのボタンなどである。応対開始ボタン２１は、来訪者の応対を開始するためのボタンである。応対終了ボタン２２は、来訪者の応対を終了するためのボタンである。応対開始ボタン２１および応対終了ボタン２２の詳細は後述する。
【００２６】
図２に示すインターフォン３０は、例えば住居等の玄関扉の外側に設置されている。インターフォン３０は、カメラ３１、マイクロフォン３２および呼び出しボタン３３を備える。表示制御装置１００の通信部２とインターフォン３０とは相互に通信が可能である。表示制御装置１００は、通信部３を介して、インターフォン３０のカメラ３１およびマイクロフォン３２から映像音声信号を受信する。また、表示制御装置１００は、通信部３を介して、インターフォン３０の呼び出しボタン３３が押されたことを検知する。また、インターフォン３０は人感センサ（図示せず）を備え、インターフォン３０の周囲に人が存在することを検知することが可能である。インターフォン３０は、人感センサが人を検知すると、カメラ３１が撮像した映像信号を表示制御装置１００に送信する。
【００２７】
表示制御装置１００の来訪者有無判定部７は、通信部２が受信する信号に基づいて来訪者の有無を判定する。例えば、来訪者有無判定部７はインターフォン３０のカメラ３１で撮像された映像を解析して、映像に映る人物が、通行者なのか来訪者なのかを判定する。
【００２８】
図３は、表示制御装置１００のハードウェア構成図である。ＴＶ信号受信部１はチューナーＨＷ１により実現される。表示制御装置１００とインターフォン３０との相互通信、表示制御装置１００とリモコン２０との通信は、例えばローカルエリアネットワーク（ＬＡＮ）通信規格等の通信規格に則って行われる。通信部２は通信インターフェースＨＷ２、リモコン受信部８はリモコン受信インターフェースＨＷ８により実現される。ここで、通信インターフェースＨＷ２およびリモコン受信インターフェースＨＷ８は、例えばＬＡＮ通信規格等のインターフェースである。映像音声信号出力部３は、映像音声信号インターフェースＨＷ３により実現される。ここで、映像音声信号インターフェースＨＷ３は、例えばＨＤＭＩ（登録商標）規格に対応したインターフェースである。記憶部４は記憶装置ＨＷ４によって実現される。記憶装置ＨＷ４は、例えばハードディスクドライブ（ＨＤＤ）等である。
【００２９】
制御部６（即ち、システム制御部６１および映像制御部６２）および来訪者有無判定部７は、処理回路ＨＷ６によって実現される。処理回路ＨＷ６は、専用のハードウェアであっても、メモリＨＷ５に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。
【００３０】
処理回路ＨＷ６が専用のハードウェアである場合、処理回路ＨＷ６は、例えば、単一回路、複合回路、プログラム化したプロセッサ、並列プログラム化したプロセッサ、ＡＳＩＣ、ＦＰＧＡ、またはこれらを組み合わせたものが該当する。
【００３１】
処理回路ＨＷ６がＣＰＵの場合、システム制御部６１、映像制御部６２および来訪者有無判定部７の機能はソフトウェア、ファームウェア、またはソフトウェアとファームウェアとの組み合わせにより実現される。ソフトウェアやファームウェアはプログラムとして記述され、メモリＨＷ５に格納される。処理回路ＨＷ６は、メモリＨＷ５に記憶されたプログラムを読み出して実行することにより、システム制御部６１、映像制御部６２および来訪者有無判定部７の機能を実現する。また、このプログラムは、システム制御部６１、映像制御部６２および来訪者有無判定部７の手順や方法をコンピュータに実行させるものであるともいえる。ここで、メモリＨＷ５とは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００３２】
なお、システム制御部６１、映像制御部６２および来訪者有無判定部７の機能について、一部を専用のハードウェアで実現し、一部をソフトウェアまたはファームウェアで実現するようにしてもよい。システム制御部６１、映像制御部６２および来訪者有無判定部７は、汎用のコンピュータ制御用オペレーティングシステムが動作し、汎用のローカルエリアネットワーク（ＬＡＮ）通信規格等の通信インターフェースを備えるＰＣでも実現できる。
【００３３】
＜動作＞
図６は、使用者が来訪者の応対をする場合の表示制御装置１００の動作を示すフローチャートである。また、図７は、使用者が来訪者の応対をしない場合（非応対）の表示制御装置１００の動作を示すフローチャートである。
【００３４】
まず、図６を用いて、使用者が来訪者の応対をする場合の表示制御装置１００の動作を説明する。まず、初期状態として使用者がＴＶ放送を視聴中であるとする。この時、システム制御部６１は、映像制御部６２を制御して、ＴＶ放送の映像音声信号を映像音声信号出力部３に出力させている（ステップＳ１０１）。
【００３５】
次に、来訪者有無判定部７が来訪者有りと判定する（ステップＳ１０２）。すると、システム制御部６１は、映像制御部６２および記憶部４を制御して記憶部４へのＴＶ放送の録画を自動的に開始する（ステップＳ１０３）。
【００３６】
次に、来訪者がインターフォン３０の呼び出しボタン３３を押下すると、システム制御部６１は、通信部２を介して呼び出しボタン３３が押下されたことを検知する（ステップＳ１０４）。すると、システム制御部６１は、映像制御部６２を制御して、ＴＶ放送の映像の上にインターフォン３０のカメラ３１が撮像した映像を重畳（オーバーレイ）処理させ、映像音声信号出力部３に出力させる（ステップＳ１０５）。この時の表示装置１０の表示画面１０ａの一例を図４（ｂ）に示す。画面全体にＴＶ放送の映像が表示され、インターフォン３０のカメラ３１の映像が領域１０６に重畳して表示されている。なお、領域１０６のサイズおよび位置は図４（ｂ）に限定されるものではない。
【００３７】
図４（ｂ）に示すように、表示装置１０の表示画面１０ａの一部にインターフォン３０のカメラ３１の映像を重ねて表示させることで、ＴＶ放送を視聴中の使用者は来訪者の存在を認識する。
【００３８】
次に、使用者は来訪者に対応するために、リモコン２０の応対開始ボタン２１を押下する。すると、システム制御部６１は、リモコン受信部８を介して応対開始ボタン２１が押下されたことを検知する（ステップＳ１０６）。すると、システム制御部６１は応対開始処理を行う（ステップＳ１０７）。つまり、使用者はリモコン２０のマイクロフォン２３を通じて来訪者と会話が可能となる。また、応対開始ボタン２１の押下を検知すると、システム制御部６１は、映像制御部６２を制御してＴＶ放送の表示を一次停止させる。
【００３９】
応対開始処理において、システム制御部６１は、リモコン２０のマイクロフォン２３が取得した音声信号（つまり、使用者の音声）をリモコン受信部８を介して受信し、その音声信号を通信部２を介してインターフォン３０に送信する。インターフォン３０ではスピーカ３２を通じて使用者の音声信号が出力される。また、システム制御部６１は、通信部２を介してインターフォン３０のマイクロフォン３２が取得した音声信号（つまり、来訪者の音声）を、映像音声信号出力部３に出力する。映像音声信号出力部３に出力された来訪者の音声信号はスピーカ１１で出力される。
【００４０】
来訪者の応対が終わると、使用者はリモコン２０の応対終了ボタン２２を押下する。すると、システム制御部６１は、リモコン受信部８を介して応対終了ボタン２２が押下されたことを検知する（ステップＳ１０８）。すると、システム制御部６１は応対終了処理を行う（ステップＳ１０９）。
【００４１】
応対終了処理において、システム制御部６１は、映像制御部６２を制御してインターフォン３０のカメラ３１の映像信号の映像音声信号出力部３への出力を停止させる。同時に、システム制御部６１は、リモコン２０のマイクロフォン２３が取得した音声信号のインターフォン３０への送信を停止する。また、システム制御部６１は、インターフォン３０のマイクロフォン３２が取得した音声信号の映像音声信号出力部３への出力を停止させる。
【００４２】
次に、システム制御部６１はＴＶ放送の視聴再開処理を行う（ステップＳ１１０）。視聴再開処理において、システム制御部６１は、映像制御部６２および記憶部４を制御して記憶部４に録画したＴＶ放送の再生を開始する。ここで、記憶部４に録画したＴＶ放送の再生開始位置は、システム制御部６１が応対開始ボタン２１の押下を検知した時刻位置である。なお、システム制御部６１は、応対開始ボタン２１の押下を検知した時刻から一定時間（例えば１０秒）前の時刻位置から再生を開始してもよい。
【００４３】
また、システム制御部６１が応対開始ボタン２１の押下を検知した時刻位置から録画したＴＶ放送の再生を開始するか、応対開始ボタン２１の押下を検知した時刻よりも一定時間前の時刻位置から再生を開始するかを、使用者が選択可能としてもよい。この場合、システム制御部６１が表示画面に選択メニューを表示し、使用者がリモコン２０を操作してどちらかを選択する。また、どちらの方法で再生を行うか、使用者が予め設定可能としもよい。
【００４４】
システム制御部６１は、録画したＴＶ放送の再生を開始する際に時短再生を行ってもよい。時短再生とは、コマーシャルメッセージ（ＣＭとも記載する）を除いた再生又は１倍速よりも早い速度（例えば１．２倍速）での再生、あるいはこれらを組み合わせた再生である。また、通常再生を行うか、時短再生を行うかを使用者が選択可能としてもよい。この場合、再生を開始する前にシステム制御部６１が表示画面に選択メニューを表示し、使用者がリモコン２０を操作してどちらかを選択する。また、どちらの方法で再生を行うか、使用者が予め設定可能としもよい。
【００４５】
なお、ステップＳ１０８，Ｓ１０９において、応対終了ボタン２２が押下されるとシステム制御部６１が応対終了処理を行うとしたが、応対終了ボタン２２が押下されなくても、来訪者有無判定部７の判定が来訪者有りから来訪者無しに変化した場合にシステム制御部６１が応対終了処理を行ってもよい。
【００４６】
なお、ステップＳ１０７において応対開始ボタン２１が押される前に、来訪者有無判定部７の判定が来訪者有りから来訪者無しに変化した場合、システム制御部６１は記憶部４へのＴＶ放送の録画を停止するとともに、録画したデータを記憶部４から消去する。
【００４７】
次に、図７を用いて、使用者が来訪者の応対をしない場合の表示制御装置１００の動作を説明する。まず、初期状態として使用者がＴＶ放送を視聴中であるとする。図７におけるステップＳ２０１からＳ２０５は、図６におけるステップS１０１からS１０５と同じため説明を省略する。
【００４８】
次に、使用者は来訪者に対応しないために、リモコン２０の応対終了ボタン２２を押下する。すると、システム制御部６１は、リモコン受信部８を介して応対終了ボタン２２が押下されたことを検知する（ステップＳ２０６）。すると、システム制御部６１は、映像制御部６２を制御してインターフォン３０のカメラ３１が撮像した映像の映像音声信号出力部３への出力を停止させる。また、システム制御部６１は記憶部４へのＴＶ放送の録画を停止するとともに、録画したデータを記憶部４から消去する（ステップＳ２０７）。
【００４９】
なお、システム制御部６１が応対終了ボタン２２の押下を検知した後は、インターフォン３０の呼び出しボタン３３は無効となる。つまり、来訪者が再度呼び出しボタン３３を押下しても、インターフォン３０のカメラの映像は表示装置１０に表示されない。呼び出しボタン３３の無効状態は、人感センサが人の存在を感知しなくなるまで継続される。
【００５０】
なお、本実施形態において、来訪者有無判定部７は、通信部２が受信した映像音声信号（即ちインターフォン３０のカメラ３１の映像）の映像解析に基づいて来訪者の有無を判定したが、これに限定されるものではない。例えば、来訪者有無判定部７は、インターフォン３０に備わる人感センサから送られる信号に基づいて来訪者の有無を判定してもよい。この場合、人感センサが人の存在を感知すると、これに連動して来訪者有無判定部７は来訪者有りと判定する。また、来訪者有無判定部７は、インターフォン３０の呼び出しボタン３３の押下に基づいて来訪者の有無を判定してもよい。この場合、インターフォン３０の呼び出しボタン３３が押されると、来訪者有無判定部７は来訪者有りと判定する。また、来訪者有無判定部７は、インターフォン３０のカメラ３１からの映像信号の受信の有無に基づいて来訪者の有無を判定してもよい。この場合、通信部２がインターフォン３０のカメラ３１から映像信号を受信すると、来訪者有無判定部７は来訪者有りと判定する。
【００５１】
なお、本実施形態において、表示システムは、表示制御装置１００、表示装置１０およびスピーカ１１を備えた液晶テレビ装置である。表示システムの構成はこれに限定されない。例えば、表示制御装置１００はＰＣであり、表示装置１０およびスピーカはＰＣに接続されていてもよい。また、応対開始ボタン２１、応対終了ボタン２２およびマイクロフォン２３はリモコン２０以外の装置に設けられていてもよい。例えば、表示制御装置１００がＰＣである場合、マイクロフォン２３はリモコン２０とは別にＰＣに接続されていてもよい。また、応対開始ボタン２１および応対終了ボタン２２は、物理的なボタンでなくてもよく、例えば、表示装置１０の画面上に表示されていてもよい。
【００５２】
なお、本実施形態において表示制御装置１００は、使用者が外出中に来訪者があった場合、インターフォン３０のカメラ３１およびマイクロフォン３２が生成する映像音声信号を記憶部４に記録する。使用者が外出中において、システム制御部６１は、インターフォン３０の呼び出しボタン３３の押下、又は来訪者有無判定部７の来訪者有りの判定を検知すると、インターフォン３０から受信した映像音声信号の記憶部４への記録を開始する。そして、システム制御部６１は、来訪者有無判定部７の来訪者無しの判定を検知すると、インターフォン３０から受信した映像音声信号の記憶部４への記録を停止する。使用者は帰宅後、記憶部４に記録された音声映像信号を再生して、外出中に来訪した来訪者の映像を確認することが可能である。
【００５３】
＜効果＞
本発明の実施形態における表示制御装置１００は、カメラ３１およびマイクロフォン３２を備えたインターフォン３０と、相互に通信を行う表示制御装置１００であって、表示制御装置１００は、テレビジョン放送の映像音声信号を受信するテレビジョン信号受信部ＢＬ１と、インターフォン３０のカメラ３１およびマイクロフォン３２が生成する映像音声信号を受信する通信部ＢＬ２と、テレビジョン信号受信部ＢＬ１で受信した映像音声信号および通信部ＢＬ２で受信したインターフォン３０からの映像音声信号を出力する映像音声信号出力部ＢＬ３と、テレビジョン信号受信部ＢＬ１が受信した映像音声信号および通信部ＢＬ２が受信したインターフォン３０からの映像音声信号を記録する記憶部ＢＬ４と、記憶部ＢＬ４に記録されている映像音声信号の再生を行い、映像音声信号出力部ＢＬ３に出力する再生部ＢＬ５と、テレビジョン信号受信部ＢＬ１、通信部ＢＬ２、映像音声信号出力部ＢＬ３、記憶部ＢＬ４および再生部ＢＬ５を制御する制御部ＢＬ６と、通信部ＢＬ２が受信する信号に基づいて来訪者の有無を判定する来訪者有無判定部ＢＬ７と、を備え、映像音声信号出力部ＢＬ３がテレビジョン放送の映像音声信号を出力している時に、来訪者有無判定部ＢＬ７が来訪者有りと判定した場合、制御部ＢＬ６は、記憶部ＢＬ４へのテレビジョン放送の映像音声信号の記録を開始する。
【００５４】
本実施形態における表示制御装置１００によれば、使用者がＴＶ放送を視聴中に来訪者有無判定部ＢＬ７が来訪者有りと判定した場合、自動的にＴＶ放送の録画を開始する。従って、使用者は来訪者の応対を終えた後に、ＴＶ放送を続きから視聴することが可能となる。これにより使用者の利便性が向上する。
【００５５】
また、本発明の実施形態における表示制御装置１００は、マイクロフォン２３と、来訪者への応対を開始する応対開始ボタン２１と、来訪者への応対を終了する応対終了ボタン２２と、をさらに備え、来訪者有無判定部ＢＬ７が来訪者有りと判定した場合において、応対開始ボタン２１が押されると、制御部ＢＬ６は、映像音声信号出力部ＢＬ３に通信部ＢＬ２で受信したインターフォン３０からの映像音声信号を出力させるとともに、表示制御装置１００のマイクロフォン２３の音声信号を、通信部ＢＬ２を介してインターフォン３０に送信し、制御部ＢＬ６は、応対中に応対終了ボタンが押されるか、又は来訪者有無判定部ＢＬ７の判定が来訪者有りから無しに変わると、映像音声信号出力部ＢＬ３への通信部ＢＬ２で受信したインターフォン３０からの映像音声信号の出力を停止するとともに、制御部ＢＬ６は、表示制御装置１００のマイクロフォン２３の音声信号のインターフォン３０への送信を停止する。
【００５６】
本実施形態における表示制御装置１００は、マイクロフォン２３、応対開始ボタン２１および応対終了ボタン２２を備える。これにより、使用者は応対開始ボタン２１の押下によりマイクロフォン２３を用いて来訪者の応対を開始することが可能である。また、使用者は応対終了ボタン２２の押下により来訪者の応対を終了することが可能である。また、来訪者有無判定部ＢＬ７の判定が来訪者有りから無しに変わると、自動的に来訪者の応対を終了してもよい。
【００５７】
また、本発明の実施形態における表示制御装置１００において、制御部ＢＬ６は、応対終了ボタン２２が押されるか、又は来訪者有無判定部ＢＬ７の判定が来訪者有りから無しに変わると、再生部ＢＬ５に、記憶部ＢＬ４に記録されているテレビジョン放送の映像音声信号の再生を開始させ、映像音声信号の再生開始位置は、応対開始ボタン２１が押された時刻からの位置又はそれ以前の時刻からの位置である。
【００５８】
本実施形態における表示制御装置１００は、来訪者の応対が終了すると自動的に録画したＴＶ放送の再生を開始する。ここで、再生開始位置は、応対開始ボタン２１が押された時刻からの位置又はそれ以前の時刻からの位置であるため、使用者は、ＴＶ放送の視聴を中断した位置又はそれよりも少し前の位置から、ＴＶ放送の視聴を再開することが可能である。これにより、使用者は快適にＴＶ放送を続きから視聴することが可能である。
【００５９】
また、本発明の実施形態における表示制御装置１００において、制御部ＢＬ６は、応対終了ボタン２２が押されるか、又は来訪者有無判定部ＢＬ７の判定が来訪者有りから無しに変わると、再生部ＢＬ５に、記憶部ＢＬ４に記録されているテレビジョン放送の映像音声信号の再生を開始させ、映像音声信号の再生開始位置は、応対開始ボタン２１が押された時刻からの位置又はそれ以前の時刻からの位置であり、再生はコマーシャルメッセージを除いた再生であるか、１倍速よりも早い速度での再生である。
【００６０】
本実施形態における表示制御装置１００は、来訪者の応対が終了すると録画したＴＶ放送の再生を自動的に開始する。ここで、再生は時短再生で行われてもよい。時短再生で再生を行うことにより、使用者は、リアルタイムで放送中のＴＶ放送に早く追いついて視聴することが可能となる。
【００６１】
また、本発明の実施形態における表示制御装置１００において、インターフォン３０は、人感センサをさらに備え、来訪者有無判定部ＢＬ７は人感センサからの信号に基づいて前記来訪者の有無を判定するか、来訪者有無判定部ＢＬ７は、通信部ＢＬ２が受信したインターフォン３０からの映像音声信号の映像解析に基づいて来訪者の有無を判定するか、インターフォン３０は、呼び出しボタン３３をさらに備え、来訪者有無判定部ＢＬ７は呼び出しボタン３３の押下に基づいて来訪者の有無を判定するか、通信部ＢＬ２のインターフォン３０のカメラ３１からの映像信号の受信の有無に基づいて、来訪者有無判定部ＢＬ７は来訪者の有無を判定するか、のいずれかである。
【００６２】
本実施形態における表示制御装置１００の来訪者有無判定部ＢＬ７は、上述したいずれかの方法に基づいて来訪者の有無を判定する。表示制御装置１００が来訪者の有無を判定する機能を有することにより、表示制御装置１００は、例えば来訪者の有無を判定する機能を有さないインターフォンにも対応することが可能となる。
【００６３】
本発明の実施形態における表示制御装置１００は、リモートコントローラ２０をさらに備え、マイクロフォン２３、応対開始ボタン２１および応対終了ボタン２２はリモートコントローラ２０に設けられる。
【００６４】
リモートコントローラ２０（リモコン２０）にマイクロフォン２３、応対開始ボタン２１および応対終了ボタン２２を設けることにより、ＴＶ放送を視聴中の使用者は、手元にあるリモコン２０を使用して来訪者の応対が可能であり、使用者の利便性が向上する。
【００６５】
本発明の実施形態における表示制御装置１００において、映像音声信号出力部ＢＬ３がテレビジョン放送の映像音声信号を出力している時に、来訪者有無判定部ＢＬ７が来訪者有りと判定した場合、制御部ＢＬ６は、テレビジョン放送の映像音声信号の映像の一部分に通信部ＢＬ２で受信したインターフォン３０からの映像音声信号の映像をオーバーレイさせて、映像音声信号出力部ＢＬ３に出力する。
【００６６】
本発明の実施形態における表示制御装置１００は、ＴＶ放送の映像の一部分にインターフォン３０のカメラ３１の映像をオーバーレイさせて表示装置１０に表示させる。これにより、ＴＶ放送を視聴中の使用者は、インターフォン３０のカメラ３１の映像を容易に確認することが可能である。
【００６７】
本発明の実施形態における表示システムは、表示制御装置１００と、映像音声信号出力部ＢＬ３から出力される映像信号を表示する表示装置１０と、映像音声信号出力部ＢＬ３から出力される音声信号を出力するスピーカ１１と、を備える。
【００６８】
本実施形態における表示システムによれば、使用者がＴＶ放送を視聴中に来訪者有無判定部ＢＬ７が来訪者有りと判定した場合、自動的にＴＶ放送の録画を開始する。従って、使用者は来訪者の応対を終えた後に、ＴＶ放送を続きから視聴することが可能となる。これにより使用者の利便性が向上する。
【００６９】
なお、本発明は、その発明の範囲内において、実施の形態を適宜、変形、省略することが可能である。
【符号の説明】
【００７０】
１  テレビジョン信号受信部、２  通信部、３  映像音声信号出力部、４  記憶部、６  制御部、７  来訪者有無判定部、８  リモコン受信部、９  アンテナ、１０  表示装置、１０ａ  表示画面、１０ｂ  領域、１１  スピーカ、２０  リモコン、２１  応対開始ボタン、２２  応対終了ボタン、２３  マイクロフォン、２４  本来機能用ボタン、３０  インターフォン、３１  カメラ、３２  マイクロフォン、３３  呼び出しボタン、６１  システム制御部、６２  映像制御部、１００  表示制御装置、ＢＬ１  テレビジョン信号受信部、ＢＬ２  通信部、ＢＬ３  映像音声信号出力部、ＢＬ４  記憶部、ＢＬ５  再生部、ＢＬ６  制御部、ＢＬ７  来訪者有無判定部、ＨＷ１  チューナー、ＨＷ２  通信インターフェース、ＨＷ３  映像音声信号インターフェース、ＨＷ４  記憶装置、ＨＷ５  メモリ、ＨＷ６  処理回路、ＨＷ８  リモコン受信インターフェース。
【図１】
2017098682.tif 000003
【図２】
2017098682.tif 000004
【図３】
2017098682.tif 000005
【図４】
2017098682.tif 000006
【図５】
2017098682.tif 000007
【図６】
2017098682.tif 000008
【図７】
2017098682.tif 000009